(57)【要約】【課題】フランジバックの異なるカメラ本体と交換レンズの装着を可能とする変換アダプタ装置であって、カメラ側の通信接点とレンズ側の通信接点のレイアウト、通信接点を導通させる導通部材のレイアウトを向上させる変換アダプタ装置を提供する。【解決手段】カメラ本体１０と交換レンズ２０とを接続する変換アダプタ３０が、カメラ本体１０に装着可能に設けられたカメラ本体側取り付け部３１と、交換レンズ２０に装着可能に設けられたレンズ側取り付け部３３とを備える。変換アダプタ３０が、カメラ本体１０の通信接点群と接するカメラ本体側通信接点群３２と、交換レンズ２０の通信接点群と接するレンズ側通信接点群３４と、カメラ本体側通信接点群３２とレンズ側通信接点群３４を電気的に接続する導通部材３０１を備える。カメラ本体側通信接点群３２のカメラ光軸周りの位置とレンズ側通信接点群３４のカメラ光軸周りの位置とが互いに異なる。【選択図】図１
2011053437.tif 000002
【特許請求の範囲】
【請求項１】
カメラ本体と交換レンズとを接続する変換アダプタ装置であって、
前記カメラ本体に装着可能に設けられたカメラ本体側取り付け部と、
前記交換レンズに装着可能に設けられたレンズ側取り付け部と、
前記カメラ本体側取り付け部に設けられ、前記カメラ本体の通信接点群と接する第１の通信接点群と、
前記レンズ側取り付け部に設けられ、前記交換レンズの通信接点群と接する第２の通信接点群と、
前記第１の通信接点群と前記第２の通信接点群とを電気的に接続する導通部材とを備え、
前記第１の通信接点群のカメラ光軸周りの位置と、前記第２の通信接点群のカメラ光軸周りの位置とが互いに異なる
ことを特徴とする変換アダプタ装置。
【請求項２】
前記第１の通信接点群と前記第２の通信接点群とが、カメラ光軸を挟んで対向する位置に設けられている
ことを特徴とする請求項１に記載の変換アダプタ装置。
【請求項３】
前記第１の通信接点群が、カメラ正位置状態において、前記カメラ光軸に対して上側に設けられている
ことを特徴とする請求項２に記載の変換アダプタ装置。
【請求項４】
前記第１の通信接点群と前記第２の通信接点群とが、前記カメラ光軸周りに９０度離れた位置に設けられている
ことを特徴とする請求項１に記載の変換アダプタ装置。
【請求項５】
前記第１の通信接点群と接する前記カメラ本体の通信接点群が、カメラの電源の近傍の位置に設けられている
ことを特徴とする請求項４に記載の変換アダプタ装置。
【請求項６】
前記第２の通信接点群が、前記変換アダプタ装置に前記交換レンズが装着された状態で前記交換レンズの通信接点に対して所定の反力をもって接するように設けられている
ことを特徴とする請求項１乃至５のいずれかに記載の変換アダプタ装置。
【請求項７】
前記カメラ本体のフランジバックが前記交換レンズのフランジバックより短く、前記変換アダプタ装置の厚みが、該カメラ本体のフランジバックと該交換レンズのフランジバックとの差である
ことを特徴とする請求項１乃至６のいずれかに記載の変換アダプタ装置。
【請求項８】
カメラ本体と交換レンズとを接続する変換アダプタ装置を備える交換レンズシステムであって、
前記変換アダプタ装置が、
前記カメラ本体に装着可能に設けられたカメラ本体側取り付け部と、
前記交換レンズに装着可能に設けられたレンズ側取り付け部と、
前記カメラ本体側取り付け部に設けられ、前記カメラ本体の通信接点群と接する第１の通信接点群と、
前記レンズ側取り付け部に設けられ、前記交換レンズの通信接点群と接する第２の通信接点群と、
前記第１の通信接点群と前記第２の通信接点群とを電気的に接続する導通部材とを備え、
前記第１の通信接点群のカメラ光軸周りの位置と、前記第２の通信接点群のカメラ光軸周りの位置とが互いに異なる
ことを特徴とする交換レンズシステム。
【発明の詳細な説明】
【技術分野】
【０００１】
本発明は、変換アダプタ装置及び交換レンズシステムに関する。
【背景技術】
【０００２】
デジタル一眼レフカメラの小型化・軽量化への要望に応えるため、近年、従来のデジタル一眼レフカメラとは異なる新しいタイプの一眼レフカメラが提案されている。新しいタイプの一眼レフカメラは、撮影光束をファインダーへ導くためのクイックリターンミラーが設けられておらず、また、フランジバックが従来のカメラより短い。上記のような新しいタイプのカメラに対応した、フランジバックの短い新しいタイプの交換レンズが提案されている。しかし、上記の新しいタイプの交換レンズは、品種が少なく、様々な撮影条件に対応することは困難である。従って、既に市場に導入され、品種及び数量が豊富な従来タイプの交換レンズを新しいタイプのカメラに使用したい場合がある。そのためには、従来タイプの交換レンズと新しいタイプのカメラ本体とを接続するための変換アダプタが必要である。この変換アダプタに求められる機能は、主に、レンズとカメラ本体とで異なるマウント形状の整合をとること、レンズとカメラ本体とで異なるフランジバックを整合させること、レンズとカメラ本体の通信システムを阻害しないことである。
【０００３】
変換アダプタに必須の機能であるカメラ本体と交換レンズとの通信を可能とするため、変換アダプタには、通信接点が設けられている。変換アダプタの、カメラ本体側に接続する通信接点と交換レンズ側に接続する通信接点とで、カメラ光軸周りの位置が同じ位置に設けられている変換アダプタが提案されている。この変換アダプタにおいては、例えば、カメラ本体側に接続する通信接点（カメラ本体側通信接点）と交換レンズ側に接続する通信接点（レンズ側通信接点）という対応する２つの通信接点を電気的に接続する導通部材が設けられている。
なお、下記の特許文献１は、カメラ本体より出力された制御信号を第１の信号形態で第１のレンズユニットへと通信することによってこれを制御する交換レンズシステムにおける変換アダプタ装置を開示している。この変換アダプタ装置は、カメラ本体に上記第１の信号形態と異なる第２の信号形態の制御情報によって制御される第２のレンズユニットを接続可能とする。
【先行技術文献】
【特許文献】
【０００４】
【特許文献１】特開平４−２７３６７１号公報
【発明の概要】
【発明が解決しようとする課題】
【０００５】
しかし、上述した新しいタイプのカメラのカメラ本体のフランジバックと従来タイプの交換レンズのフランジバックとが近い場合、変換アダプタの厚みを薄くする必要がある。変換アダプタの厚みが薄い場合、変換アダプタのカメラ本体側通信接点とレンズ側通信接点とをカメラ光軸周りの位置が同じ位置に設けることは、スペース的に近すぎて困難である。また、カメラ本体側通信接点とレンズ側通信接点のカメラ光軸周りの位置が近い場合には、これらの通信接点同士を導通させる導通部材のレイアウトも困難となる。また、カメラ本体側通信接点とレンズ側通信接点と導通部材部の組立作業性が悪くなる。
本発明は、フランジバックの異なるカメラ本体と交換レンズの装着を可能とする変換アダプタ装置であって、カメラ側の通信接点とレンズ側の通信接点のレイアウト、通信接点を導通させる導通部材のレイアウトを向上させる変換アダプタ装置の提供を目的とする。
【課題を解決するための手段】
【０００６】
本発明の一実施形態の変換アダプタ装置は、カメラ本体と交換レンズとを接続する変換アダプタ装置である。変換アダプタ装置は、前記カメラ本体に装着可能に設けられたカメラ本体側取り付け部と、前記交換レンズに装着可能に設けられたレンズ側取り付け部と、前記カメラ本体側取り付け部に設けられ、前記カメラ本体の通信接点群と接する第１の通信接点群と、前記レンズ取り付け部に設けられ、前記交換レンズの通信接点群と当接する第２の通信接点群と、前記第１の通信接点群と前記第２の通信接点群とを電気的に接続する導通部材とを備える。前記第１の通信接点群のカメラ光軸周りの位置と、前記第２の通信接点群のカメラ光軸周りの位置とが互いに異なる。
【発明の効果】
【０００７】
本発明の変換アダプタ装置によれば、フランジバックの異なるカメラ本体と交換レンズの装着を可能とするとともに、変換アダプタ装置のカメラ側の通信接点とレンズ側の通信接点のレイアウトを改善させることができる。また、本発明の変換アダプタ装置によれば、変換アダプタ装置が備える対応する通信接点同士を導通させる導通部材のレイアウトや、通信接点と導通部材の組立作業性を向上させることができる。
【図面の簡単な説明】
【０００８】
【図１】変換アダプタ装置を備えるカメラ全体の概略構成例を示す図である。
【図２】変換アダプタの構成を示す図である。
【図３】変換アダプタ装置を備えるカメラ全体の概略構成例を示す図である。
【図４】変換アダプタの構成を示す図である。
【発明を実施するための形態】
【０００９】
図１は、本発明の第１の実施形態の変換アダプタ装置を備えるカメラ全体の概略構成例を示す図である。図１に示すカメラは、例えば、複数の撮像光学系を制御して平面画像撮影又は立体画像撮影を実行するデジタルカメラやビデオカメラである。図１に示すカメラは、カメラ本体１０と、交換レンズ２０と、カメラ本体１０と交換レンズ２０とを接続する変換アダプタ３０とを備える。カメラ本体１０は、従来タイプのカメラよりフランジバックが短い新しいタイプのカメラである。交換レンズ２０は、変換アダプタ３０を介してカメラ本体１０に装着された状態となっている。カメラ本体１０と交換レンズ２０とは、それぞれのマウント部の規格が異なり、直接装着は不可能である。また、カメラ本体１０と交換レンズ２０とは、フランジバックが異なる。カメラ本体１０のフランジバックは、カメラ本体１０の交換レンズ２０を取り付ける基準面から撮像素子の撮像面までの距離である。また、交換レンズ２０のフランジバックは、交換レンズ２０のカメラ本体１０を取り付ける基準面から焦点位置までの距離である。
【００１０】
カメラ本体１０は、カメラ本体側マウント部１１、カメラ側通信接点群１２、中央処理装置（ＭＰＵ：Micro Processing Unit ）１００、撮像素子４００を備える。カメラ本体１０には、クイックリターンミラーや専用の焦点検出ユニット等は設けられていない。ＭＰＵ１００は、カメラの動作制御を行う制御部であり、カメラシステムの様々な要素に対して様々な処理や指示を実行する。撮像素子４００は、撮影光学系によって結像された被写体像を電気信号に変換する撮像デバイスである。本実施形態では撮像素子４００としてＣＭＯＳ（Complementary Metal Oxide  Semiconductor）センサが用いられる。撮像素子４００として、ＣＣＤ（Charge Coupled Device）型及びＣＩＤ（Charge-injection
Device）型等様々な形態の撮像デバイスを用いてもよい。撮像素子４００の電気信号はアナログ／デジタル（Ａ／Ｄ）変換された後、公知の種々の信号処理が施される。カメラ本体側マウント部１１は、カメラ本体１０の被写体側（交換レンズ側）の端部に設けられている。カメラ本体側マウント部１１の被写体側の端面にマウント面１１ａが設けられている。そして、カメラ側通信接点群１２が、カメラ本体側マウント部１１に設けられている。
【００１１】
交換レンズ２０は、レンズ側マウント部２１、レンズ側通信接点群２２、撮影レンズ２００、レンズ制御回路２０１、ＡＦ駆動回路２０２、絞り駆動回路２０３、絞り２０４を備える。撮影レンズ２００は、合焦させる被写体までの距離に応じて、不図示のレンズ枠やアクチュエータなどのレンズ移動手段によって、光軸方向に移動可能に保持されている。なお、図１では便宜上１枚の撮影レンズ２００を図示しているが、撮影レンズ２００は、実際には多数のレンズ群を有する。レンズ制御回路２０１は、ＭＰＵ１００との間で通信を行い、ＡＦ駆動回路２０２及び絞り駆動回路２０３を介して交換レンズ２０内の撮影レンズ２００及び絞り２０４の駆動を行う。ＡＦ駆動回路２０２は、例えばステッピングモータによって構成され、レンズ制御回路２０１の制御により撮影レンズ２００内のフォーカスレンズ位置を変化させ、撮像素子に撮影光束の焦点を合わせるように調整する。絞り駆動回路２０３は、例えばオートアイリス等によって構成され、レンズ制御回路２０１の制御により絞り２０４を変化させ、光学的な絞り値を得る。レンズ側マウント部２１は、交換レンズ２０の撮影者側（カメラ本体側）の端部に設けられている。レンズ側マウント部２１の撮影者側の端面にマウント面２１ａが設けられている。そして、レンズ側通信接点群２２が、レンズ側マウント部２１に設けられている。
【００１２】
変換アダプタ３０は、本実施形態の変換アダプタ装置であって、カメラ本体１０と交換レンズ２０とを接続する。変換アダプタ３０は、カメラ本体側取り付け部３１、カメラ本体側通信接点群３２、レンズ側取り付け部３３、レンズ側通信接点群３４を備える。本実施形態では、変換アダプタ３０は略円環形状をしているが、変換アダプタ３０の形状は円環形状に限定されない。カメラ本体側取り付け部３１は、変換アダプタ３０の一方の端部に設けられ、カメラ本体１０のマウント部の規格に対応している。すなわち、カメラ本体側取り付け部３１は、カメラ本体１０に装着可能に設けられている。カメラ本体側取り付け部３１は、カメラ本体側の端面にカメラ本体側取り付け面３１ａを有する。そして、カメラ本体１０のマウント面１１ａとカメラ本体側取り付け面３１ａとが接する形態でカメラ本体１０が装着可能である。カメラ本体側取り付け部３１には、カメラ本体側通信接点群３２が設けられている。カメラ本体側通信接点群３２は、第１の通信接点群であって、カメラ本体側取り付け部３１にカメラ本体１０を装着した場合に、カメラ本体側マウント部１１に設けられたカメラ側通信接点群１２と接する。
【００１３】
レンズ側取り付け部３３は、カメラ本体側取り付け部３１に対向する端部に設けられており、交換レンズ２０のマウント部の規格に対応している。すなわち、レンズ側取り付け部３３は、交換レンズ２０に装着可能に設けられている。レンズ側取り付け部３３は、交換レンズ側の端面にレンズ側取り付け面３３ａを有する。そして、交換レンズ２０のマウント面２１ａとレンズ側取り付け面３３ａとが接する形態で交換レンズ２０が装着可能である。レンズ側取り付け部３３には、レンズ側通信接点群３４が設けられている。レンズ側通信接点群３４は、第２の通信接点群であって、レンズ側取り付け部３３に交換レンズ２０を装着した場合に、レンズ側マウント部２１に設けられたレンズ側通信接点群２２と接する。
【００１４】
また、本実施形態では、変換アダプタ３０のカメラ本体側通信接点群３２とレンズ側通信接点群３４とは、光軸（カメラ光軸）を挟んで互いに対向する位置に設けられている。カメラ本体側通信接点群３２とレンズ側通信接点群３４と、フレキシブルプリント基板やリード線などの導通部材３０１によって電気的に接続されている。これにより、ＭＰＵ１００は、交換レンズ２０内のレンズ制御回路２０１と、カメラ側通信接点群１２、カメラ本体側通信接点群３２、導通部材３０１、レンズ側通信接点群３４、２２を介して、様々な通信を行うことができる。例えば、ＭＰＵ１００は、レンズ制御回路２０１に対して、レンズ着脱通信、レンズデータ通信、レンズ駆動通信等を行うことができる。
【００１５】
ここで、図１中に示す変換アダプタ３０の厚み（カメラ本体側取り付け面３１ａからレンズ側取り付け面３３ａまでの光軸方向における距離）はＣである。図１中に示すように、カメラ本体１０のフランジバックをＡ、交換レンズ２０のフランジバックをＢとすると、Ｃ＝Ｂ−Ａの関係が成り立つ。すなわち、カメラ本体１０のフランジバックが交換レンズ２０のフランジバックより短く、変換アダプタ３０の厚みが、カメラ本体１０のフランジバックと交換レンズ２０のフランジバックとの差に相当する。本実施形態では、カメラ本体１０のフランジバックＡと交換レンズ２０のフランジバックＢとの差Ｃ（＝Ｂ−Ａ）の厚みを持った変換アダプタ３０を用いることで、両者のフランジバックを合わせる（整合させる）ことができる。
【００１６】
本実施形態の交換レンズシステムは、図１を参照して上述した本実施形態の変換アダプタ装置を備える交換レンズシステムとして実現することができる。本実施形態の変換アダプタ装置又は交換レンズシステムによれば、ユーザが、マウント規格やフランジバック規格の違いに影響されることなく、カメラ本体１０に交換レンズ２０を装着して、正常に撮影することが可能となる。
【００１７】
図２は、図１に示す変換アダプタの構成を示す図である。図２（Ａ）は変換アダプタ３０を交換レンズ側から見た図であり、主として変換アダプタ３０のレンズ側取り付け部３３を示す。図２（Ｂ）は変換アダプタ３０を側面から見た図である。図２（Ｃ）は変換アダプタ３０をカメラ本体側から見た図であり、主として変換アダプタ３０のカメラ本体側取り付け部３１を示す。図２（Ｃ）に示すように、カメラ本体側取り付け部３１には径方向外側に凸である爪部３５が３ヶ所設けられている。変換アダプタ３０を交換レンズ側から見て右回転させ、爪部３５を不図示のカメラ本体のマウント部の爪部に引っ掛けることで、カメラ本体１０との装着が可能となる。一方、図２（Ａ）に示すように、レンズ側取り付け部３３には径方向内側に凸である爪部３６が３ヶ所設けられている。交換レンズ２０を交換レンズ側から見て右回転させ、不図示の交換レンズのマウント部の爪部を、爪部３６に引っ掛けることで、交換レンズ２０との装着が可能となる。
【００１８】
カメラ本体側取り付け部３１の大きさは、レンズ側取り付け部３３の大きさと比較して小さい。これは、カメラ本体側マウント部１１とレンズ側マウント部２１とでマウント規格が異なり、カメラ本体側マウント部１１の方が小さいためである。カメラ本体側取り付け部３１には、カメラ本体側通信接点群３２が光軸に対して上側（カメラ正位置状態において光軸に対して上側）に配置されている。カメラ本体側通信接点群３２は、略矩形の平面接点を有する通信接点３２０乃至３２９を有する。通信接点３２０乃至３２９は、カメラ本体１０のカメラ側通信接点群１２に含まれる通信接点に対応している。
【００１９】
カメラ本体側通信接点群３２に含まれる通信接点の役割を以下に示す。通信接点３２０は、レンズ駆動用電源接点である。通信接点３２１は、レンズ駆動用ＧＮＤ接点である。通信接点３２２乃至３２６は信号系接点である。具体的には、通信接点３２２はレンズ制御回路用電源接点、通信接点３２３はカメラからレンズへの信号接点である。通信接点３２４はレンズからカメラへの信号接点、通信接点３２５はカメラとレンズとの通信クロックを同期させるための接点、通信接点３２６はレンズ制御回路用ＧＮＤ接点である。通信接点３２７乃至３２９は、新しいタイプのカメラのマウント規格に対応した通信接点である。通信接点３２７乃至３２９は、上記の通信接点３２０、３２１とは異なる第二駆動電源系接点であり、通常のレンズ駆動とは異なる駆動をさせる場合に用いる。例えば、撮影レンズ２００内のフォーカスレンズをゆっくり動かして合焦スピードを遅くする動作やフォーカスレンズを高速で動かして合焦スピードを早くする動作などを行わせる場合に使用する。通信接点３２７は第二のレンズ駆動用電源接点、通信接点３２８は上述した特殊な動作ができるレンズが正しく装着されたか否かを確認する接点である。通信接点３２９は第二のレンズ駆動用ＧＮＤ接点である。
【００２０】
一方、図２（Ａ）、（Ｂ）に示すように、レンズ側取り付け部３３には、レンズ側通信接点群３４が光軸を挟んでカメラ本体側通信接点群３２と対向する位置（カメラ正位置状態において光軸に対して下側）に設けられている。すなわち、カメラ本体側通信接点群３２のカメラ光軸周りの位置と、レンズ側通信接点群３４のカメラ光軸周りの位置とが、互いに異なる。交換レンズ２０の通信接点群２２がカメラ正位置状態において光軸に対して下側に配置されているので、ユーザは通常のカメラへの交換レンズ装着作業と同様のやり方で、交換レンズ２０を変換アダプタ３０に装着することができる。
【００２１】
レンズ側通信接点群３４は、略円柱状で、円形の接点面を有する通信接点３４０乃至３４７を備える。通信接点３４０乃至３４７は、各々、光軸方向に移動可能で、内部にてバネなどの弾性部材により支持されている。通信接点３４０乃至３４７はレンズの通信接点群２２に含まれる通信接点に対応している。レンズ側取り付け部３３からカメラ本体側取り付け部３１に向かって外力が加わると、通信接点３４０乃至３４７は、加わった外力に応じて移動し、無負荷状態になると元の位置に戻る。従って、交換レンズ２０が装着された場合に、通信接点３４０乃至３４７は、交換レンズ２０のレンズ側通信接点群２２に含まれる、対応する通信接点に対して、一定の反力をもって接することができる。その結果、接点間の瞬断を防ぎ、安定した通信を行うことができる。なお、通信接点３４０乃至３４７は、変換アダプタ３０に交換レンズ２０が装着された状態で交換レンズ２０の通信接点に対して所定の反力をもって接するように設けられていれば、通信接点３４０乃至３４７の移動方向は径方向であってもよい。また、通信接点３４０乃至３４７が、非可動であってもよい。
【００２２】
通信接点３４０乃至３４７の役割を以下に示す。通信接点３４０乃至３４２は、駆動電源系接点である。具体的には、通信接点３４０は、レンズ駆動用電源接点、通信接点３４１はレンズ装着の有無を確認するための接点である。通信接点３４２はレンズ駆動用ＧＮＤ接点である。通信接点３４３乃至３４７は信号系接点である。具体的には、通信接点３４３はレンズ制御回路用電源接点、通信接点３４４はカメラからレンズへの信号接点、通信接点３４５はレンズからカメラへの信号接点である。また、通信接点３４６はカメラとレンズとの通信クロックを同期させるための接点、通信接点３４７はレンズ制御回路用ＧＮＤ接点である。
【００２３】
カメラ本体側通信接点群３２に含まれる通信接点（第１の通信接点）とレンズ側通信接点群３４に含まれる、上記第１の通信接点に対応する通信接点（第２の通信接点）とは、導通部材３０１によって電気的に接続されている。例えば、通信接点３２０が、対応する通信接点である通信接点３４０に接続され、通信接点３２１が、対応する通信接点である通信接点３４１および３４２に接続されている。また、通信接点３２２が、対応する通信接点である通信接点３４３に接続され、通信接点３２３が、対応する通信接点である通信接点３４４に接続されている。また、通信接点３２４が、対応する通信接点である通信接点３４５に接続され、通信接点３２５が、対応する通信接点である通信接点３４６に接続されている。また、通信接点３２６が、対応する通信接点である通信接点３４７に接続されている。なお、通信接点３２７乃至３２９に対応する通信接点は、レンズ側取り付け部３３には設けられていない。
【００２４】
ここで、仮に、カメラ本体側通信接点群３２とレンズ側通信接点群３４とを、互いのカメラ光軸周りの位置が同一になるように配置（例えば、どちらの接点群もカメラ正位置状態において下側の位置に配置）する場合を想定する。この場合には、変換アダプタ３０の厚みが薄いことと、レンズ側通信接点群３４の光軸方向におけるレイアウトボリュームが大きいことに起因して、カメラ本体側通信接点群３２とレンズ側通信接点群３４が近接してしまう。その結果、カメラ本体側通信接点群３２とレンズ側通信接点群３４との配置レイアウトが困難となってしまう。また、仮にカメラ本体側通信接点群３２とレンズ側通信接点群３４とをレイアウトすることができたとしても、カメラ本体側通信接点群３２とレンズ側通信接点群３４とを接続する導通部材３０１が短くなってしまう。その結果、通信接点群の配置、導通部材３０１の配置、及び、通信接点群と導通部材３０１の組立作業性が悪くなる。
【００２５】
一方、本実施形態の変換アダプタ装置においては、カメラ本体側通信接点群３２のカメラ光軸周りの位置と、レンズ側通信接点群３４のカメラ光軸周りの位置とが互いに異なるように配置されている。具体的には、本実施形態の変換アダプタ装置においては、カメラ本体側通信接点群３２とレンズ側通信接点群３４とが光軸を挟んで対向するように配置されている。従って、本実施形態の変換アダプタ装置によれば、カメラ本体側通信接点群３２とレンズ側通信接点群３４との間に所定の距離の間隔をとることができる。その結果、カメラ本体側通信接点群３２とレンズ側通信接点群３４のレイアウトを改善させることができる。また、カメラ本体側通信接点群３２とレンズ側通信接点群３４とを導通する導通部材３０１のレイアウトや、カメラ本体側通信接点群３２とレンズ側通信接点群３４と導通部材３０１の組立作業性を向上させることができる。
【００２６】
なお、本実施形態においては、通信接点３２７乃至３２９は第二駆動電源系接点であるが、通信接点３２７乃至３２９が、カメラ本体１０と交換レンズ２０との間で、従来より多くの情報を通信できるようにするための追加の信号系接点であってもよい。また、上記第二駆動電源系接点又は追加の信号系接点の数が、図２に示す通信接点３２７乃至３２９の数よりも多くても少なくてもよい。また、通信接点３２７乃至３２９の配置場所が、例えば、電源系接点と信号系接点の間であってもよい。また、カメラ本体側通信接点群３２が、通信接点３２７乃至３２９を備えない構成であってもよい。
【００２７】
本実施形態では、変換アダプタ３０のカメラ本体側通信接点群３２がカメラ正位置状態において光軸に対して上側、レンズ側通信接点群３４がカメラ正位置状態において光軸に対して下側に配置されているので、カメラ本体側にも以下のようなメリットがある。すなわち、新しいタイプのカメラは、電子ビューファインダーや表示部材、操作部材などがマウント上側に集中しており、電気実装系もマウント上側に集中して配置されている。従って、カメラ本体側通信接点群３２がカメラ正位置状態において光軸に対して上側に配置されていることによって、電気実装系のレイアウト効率がよくなる。
【００２８】
図３は、本発明の第２の実施形態の変換アダプタ装置を備えるカメラ全体の概略構成例を示す図である。図３に示すカメラが備える構成部のうち、図１に示すカメラが備える構成部と同一の符号が付されたものは、図１に示すカメラが備える構成部と同様の機能を有する。図３に示すカメラは、カメラ本体１０と、交換レンズ２０と、カメラ本体１０と交換レンズとを接続する変換アダプタ４０とを備える。
【００２９】
変換アダプタ４０が図１に示す変換アダプタ３０と異なる点は、カメラ本体側取り付け部４１のカメラ本体側通信接点群４２が光軸に対して右側に配置されている点であり、その他の構成及び機能は、変換アダプタ３０が備える構成及び機能と同様である。すなわち、変換アダプタ４０が備えるカメラ本体側取り付け部４１は、図１に示すカメラ本体側取り付け部３１が有する機能と同様の機能を有する。また、カメラ本体側通信接点群４２は、図１に示すカメラ本体側通信接点群３２が有する機能と同様の機能を有する。また、レンズ側取り付け部４３は、図１に示すレンズ側取り付け部３３が有する機能と同様の機能を有する。また、レンズ側通信接点群４４は、図１に示すレンズ側通信接点群３４と同様の機能を有する。カメラ本体側取り付け部４１は、カメラ本体側の端面にカメラ本体側取り付け面４１ａを有する。カメラ本体側取り付け面４１ａは、図１に示すカメラ本体側取り付け面３１ａと同様の機能を有する。レンズ側取り付け部３３は、交換レンズ側の端面にレンズ側取り付け面４３ａを有する。レンズ側取り付け面４３ａは、図１に示すレンズ側取り付け面３３ａと同様の機能を有する。また、カメラ本体側通信接点群４２とレンズ側通信接点群４４とは、図１に示す導通部材３０１と同様の機能を有する導通部材４０１を介して電気的に接続されている。本実施形態の交換レンズシステムは、図３に示す変換アダプタ４０を備える交換レンズシステムとして実現することができる。
【００３０】
図４は、図３に示す変換アダプタの構成を示す図である。図４（Ａ）は変換アダプタ４０を交換レンズ側から見た図である。図４（Ｂ）は変換アダプタ４０を側面から見た図である。図４（Ｃ）は変換アダプタ４０をカメラ本体側から見た図である。図４（Ｃ）に示すカメラ本体側通信接点群４２が備える通信接点（通信接点４２０乃至４２９）の機能は、図２（Ｃ）に示すカメラ本体側通信接点群３２が備える通信接点（通信接点３２０乃至３２９）の機能と同様である。また、図４（Ａ）に示すレンズ側通信接点群４４が備える通信接点（通信接点４４０乃至４４７）の機能は、図２（Ｃ）に示すレンズ側通信接点群３４が備える通信接点（通信接点３４０乃至３４７）の機能と同様である。また、図４（Ａ）に示す爪部４６は、図２（Ａ）に示す爪部３６と同様の機能を有し、図４（Ｃ）に示す爪部４５は、図２（Ｃ）に示す爪部４５と同様の機能を有する。なお、カメラ本体１０が備えるカメラ側通信接点群１２も、カメラ本体１０が交換レンズ４０に装着された状態においてカメラ本体側通信接点群４２と接するように、カメラ正位置状態において光軸に対して右側に配置されている。
【００３１】
本発明の第２の実施形態においては、図４（Ｃ）に示すように、変換アダプタ４０のカメラ本体側通信接点群４２が光軸に対して右側（カメラ正位置状態において撮影者側から見て光軸に対して右側）に配置されている。また、図４（Ａ）に示すように、変換アダプタ４０のレンズ側通信接点群４４が、光軸に対して下側（カメラ正位置状態において光軸に対して下側）に配置されている。すなわち、カメラ本体側通信接点群４２とレンズ側通信接点群４４とが、カメラ光軸周りに９０度離れた位置（図４に示す例では、光軸を中心とした円の周方向に略１/ ４回転ずれた位置）に設けられている。従って、変換アダプタ４０によれば、カメラ本体側通信接点群４２とレンズ側通信接点群４４との間に所定の距離の間隔をとることができる。その結果、カメラ本体側通信接点群４２とレンズ側通信接点群４４のレイアウトを改善させることができる。また、カメラ本体側通信接点群４２とレンズ側通信接点群４４とを導通する導通部材４０１のレイアウトや、カメラ本体側通信接点群４２とレンズ側通信接点群４４と導通部材４０１の組立作業性を向上させることができる。
【００３２】
また、カメラ本体１０が、電源であるバッテリーが光軸に対して右側にあるグリップ内に配置されている新しいタイプのカメラに対応するカメラ本体である場合には、以下のようなメリットがある。すなわち、本発明の第２の実施形態のように、カメラ本体１０のカメラ側通信接点群１２を光軸に対して右側に配置することによって、カメラ側通信接点群１２が電源の近傍の位置に配置されることになり、電気実装系のレイアウト効率がよくなる。
【００３３】
以上、本発明をその好適な実施形態に基づいて詳述してきたが、本発明はこれら特定の実施形態に限られるものではなく、本発明の要旨を逸脱しない範囲の様々な形態も本発明に含まれる。上述の実施形態の一部を適宜組み合わせてもよい。例えば、本発明の変換アダプタ装置が備えるカメラ本体側通信接点群とレンズ側通信接点群との間が設けられる位置は、両者の間に所定の距離の間隔をとることができる位置であればよい。すなわち、変換アダプタ装置が備えるカメラ本体側通信接点群とレンズ側通信接点群とを、カメラ光軸周りに任意の角度離れた位置に設けてもよい。
【００３４】
また、本実施形態では、カメラ本体のマウント規格と交換レンズのマウント規格とがマウントの大きさも含めて異なる例を示したが、両者のマウントの大きさが同じであってもよい。その場合、変換アダプタのカメラ本体側取り付け部とレンズ側取り付け部の大きさが同じとなるだけであり、通信接点群の配置に関して、本発明の要旨を逸脱するものではない。
【００３５】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【符号の説明】
【００３６】
１０  カメラ本体
２０  交換レンズ
３０  変換アダプタ
【図１】
2011053437.tif 000003
【図２】
2011053437.tif 000004
【図３】
2011053437.tif 000005
【図４】
2011053437.tif 000006